(57)【特許請求の範囲】
【請求項１】
特定階の外壁部を構成する上側壁体部および下側壁体部と、
前記上側壁体部の下端縁に沿って配置され、前記下側壁体部の上端部を覆う水切部材とを備え、
前記下側壁体部は、屋外空間に面する外装面部材と、内側面部材と、前記外装面部材および前記内側面部材の間に設けられた通気層とを含み、
前記上側壁体部の表面は、前記通気層よりも屋内側に位置しており、
前記水切部材は、前記外装面部材の上端部との間に隙間を有して配置され、
前記下側壁体部の前記通気層は、前記隙間を介して屋外空間と連通している、建物。
【請求項２】
前記上側壁体部は、前記外壁部の横幅方向に沿って複数の窓部が連ねられた連窓により構成される、請求項１に記載の建物。
【請求項３】
前記連窓は、前記外壁部の略全幅に亘って延在する、請求項２に記載の建物。
【請求項４】
前記水切部材は、前記下側壁体部の上端部を覆い、前記外装面部材の表面位置よりも屋外方向に突出する被覆部と、前記被覆部の屋外側端部から下方に垂れ下がる垂下部とを含み、
前記水切部材の垂下部と前記外装面部材の表面との間には、通気口を有する水抜き具が設けられている、請求項１〜３のいずれかに記載の建物。
【請求項５】
前記水切部材の垂下部と前記外装面部材の表面との間には、複数の前記水抜き具が互いに間隔をあけて配置されており、
前記水抜き具の周囲には、シーリング材が設けられている、請求項４に記載の建物。
【請求項６】
勾配屋根をさらに備え、
前記勾配屋根は、前記上側壁体部の上端部に交差する軒天井を有している、請求項２または３に記載の建物。
【請求項７】
前記外壁部は複数の柱を含んでおり、
前記上側壁体部は、前記柱間に固定された前記窓部と、前記柱の屋外面を覆う柱被覆部とを含み、
前記柱被覆部と前記柱との間には、前記水切部材の上面との間の隙間から取り込まれる空気を、前記軒天井の裏側に位置する軒裏空間に導く通気空間が設けられている、請求項６に記載の建物。
【請求項８】
前記柱は、前記上側壁体部が固定される上側柱と、前記下側壁体部が固定される下側柱とを有し、
前記上側柱と前記下側柱との間に位置する梁部材をさらに備え、
前記水切部材は、前記梁部材に固定されている、請求項７に記載の建物。
【発明の詳細な説明】
【技術分野】
【０００１】
本発明は、住宅などの建物に関し、特に、軸組工法で造られた木造の建物に関する。
【背景技術】
【０００２】
従来から、外観意匠性を高めるために、外壁表面側に凹凸を設けた住宅が提案されている。
【０００３】
たとえば、特開２０１３−１２７１８１号公報（特許文献１）には、上階の正面外壁に片持ちのオーバーハング部を設けた住宅が開示されている。また、特開２０１４−１０９１１７号公報（特許文献２）には、勾配屋根の妻側に配置される破風サッシと、その下の階のサッシとを上下に連続して設けることで、外観に外壁が出てこないようにした住宅建物が開示されている。
【０００４】
また、住宅の外壁は、通気性が要求される。そのため、特開２０１０−７７６４９号公報（特許文献３）等に示されるように、住宅の外壁の多くが、軒裏空間に連通する通気層を有している。
【先行技術文献】
【特許文献】
【０００５】
【特許文献１】特開２０１３−１２７１８１号公報
【特許文献２】特開２０１４−１０９１１７号公報
【特許文献３】特開２０１０−７７６４９号公報
【発明の概要】
【発明が解決しようとする課題】
【０００６】
特許文献３に記載の外壁は、表面側に大きな凹凸がないため、通気層が、基礎上の土台付近から屋根梁付近まで真直ぐ延び、軒裏空間に連通している。しかし、外壁表面側に凹凸を設ける場合、通気層内の空気を軒裏空間まで適切に導くことができない場合がある。そうすると、外壁内部に結露等が生じ、外壁が劣化するおそれがある。
【０００７】
本発明は、上記のような課題を解決するためになされたものであって、その目的は、意匠性の向上と外壁部の通気性とを両立させることのできる建物を提供することである。
【課題を解決するための手段】
【０００８】
この発明のある局面に従う建物は、特定階の外壁部を構成する上側壁体部および下側壁体部と、上側壁体部の下端縁に沿って配置され、下側壁体部の上端部を覆う水切部材とを備える。下側壁体部は、屋外空間に面する外装面部材と、内側面部材と、外装面部材および内側面部材の間に設けられた通気層とを含む。上側壁体部の表面は、通気層よりも屋内側に位置している。水切部材は、外装面部材の上端部との間に隙間を有して配置され、下側壁体部の通気層は、隙間を介して屋外空間と連通している。
【０００９】
好ましくは、上側壁体部は、外壁部の横幅方向に沿って複数の窓部が連ねられた連窓により構成される。連窓は、外壁部の略全幅に亘って延在することが望ましい。
【００１０】
好ましくは、水切部材は、下側壁体部の上端部を覆い、外装面部材の表面位置よりも屋外方向に突出する被覆部と、被覆部の屋外側端部から下方に垂れ下がる垂下部とを含む。水切部材の垂下部と外装面部材の表面との間には、通気口を有する水抜き具が設けられていることが望ましい。
【００１１】
水切部材の垂下部と外装面部材の表面との間には、複数の水抜き具が互いに間隔をあけて配置されていてもよい。この場合、水抜き具の周囲には、シーリング材が設けられていることが望ましい。
【００１２】
好ましくは、建物は、勾配屋根をさらに備える。勾配屋根は、上側壁体部の上端部に交差する軒天井を有していることが望ましい。
【００１３】
外壁部は複数の柱を含んでおり、上側壁体部は、柱間に固定された窓部と、柱の屋外面を覆う柱被覆部とを含むことが望ましい。柱被覆部と柱との間には、水切部材の上面との間の隙間から取り込まれる空気を、軒天井の裏側に位置する軒裏空間に導く通気空間が設けられていてもよい。
【００１４】
好ましくは、柱は、上側壁体部が固定される上側柱と、下側壁体部が固定される下側柱とを有し、建物は、上側柱と下側柱との間に位置する梁部材をさらに備える。この場合、水切部材は、梁部材に直接的または間接的に固定されていることが望ましい。
【発明の効果】
【００１５】
本発明によれば、意匠性の向上と外壁部の通気性とを両立させることができる。
【図面の簡単な説明】
【００１６】
【図１】本発明の実施の形態に係る建物の正面側の外観図である。
【図２】本発明の実施の形態に係る建物の縦断面を部分的に示す図であり、図１のＩＩ−ＩＩ線に沿う断面図である。
【図３】本発明の実施の形態に係る建物における、連窓の配置形状を模式的に示す平面図である。
【図４】本発明の実施の形態に係る建物の側面を模式的に示す図である。
【図５】本発明の実施の形態において、２階外壁部の要部を示す縦断面図であり、図２のＶ部分を拡大して示す図である。
【図６】本発明の実施の形態において、２階外壁部のうちの上部外壁部の横断面を部分的に示す図であり、図３のＶＩ部分を拡大して示す図である。
【図７】本発明の実施の形態において、側方窓部の位置における側方外壁部の横断面を部分的に示す図であり、図３のＶＩＩ部分を拡大して示す図である。
【図８】本発明の実施の形態において、水切部材の通気口の構成例を模式的に示す図であり、図５の矢印ＶＩＩＩの方向から見た水切部材の屋外側端部の図である。
【図９】本発明の実施の形態における２階外壁部の軸組構造の一例を模式的に示す図である。
【図１０】第１の比較例における特定階の外壁部の軸組構造を模式的に示す図である。
【図１１】第２の比較例における特定階の外壁部の軸組構造を模式的に示す図である。
【図１２】本発明の実施の形態に係る建物における、連窓の他の配置例を示す図である。
【図１３】本発明の実施の形態に係る建物における、連窓のさらに他の配置例を示す図である。
【図１４】本発明の実施の形態の変形例に係る建物の構成例を模式的に示す側面図である。
【図１５】公知の建物における外壁部の構造とその通気経路とを模式的に示す縦断面図である。
【発明を実施するための形態】
【００１７】
本発明の実施の形態について図面を参照しながら詳細に説明する。なお、図中同一または相当部分には同一符号を付してその説明は繰返さない。
【００１８】
（概要について）
図１および図２を参照して、本実施の形態に係る建物１の概要について説明する。
【００１９】
本実施の形態に係る建物１は、柱と梁を用いた軸組工法で造られた木造の住宅である。建物１は、たとえば２階建てであり、図１には、建物１の正面側の外観が示されている。なお、建物１の正面とは、外観上において象徴的な面（ファサード）を表わし、典型的には屋外の通路に面する。本実施の形態では、たとえば、玄関扉１３が設けられた外壁の表面側を正面側という。
【００２０】
建物１は、平面視において略矩形形状であり、正面側の外壁部１０と、外壁部１０の両側端部に交差する側方外壁部９１，９２と、側方外壁部９１，９２に交差し、外壁部１０と平行な背面外壁部とを有している。側方外壁部９１は、外壁部１０の横幅方向一方側（紙面上左側）に配置され、側方外壁部９２は、外壁部１０の横幅方向他方側（紙面上右側）に配置されている。図１には、外壁部１０の横幅方向が矢印Ａ１として示され、図２には、外壁部１０の内外方向（厚み方向）のうちの屋外方向（すなわち正面側）が矢印Ａ２として示されている。なお、屋外方向を前方、屋内方向を後方ともいう。
【００２１】
建物１は、勾配屋根（以下「屋根」と略す）１４を備えている。屋根１４は、たとえば寄棟屋根であるが、切妻屋根、片流れ屋根などであってもよい。屋根１４の軒先は、正面側を向いていることが望ましい。そのため、本実施の形態において、正面側の外壁部１０の上端部は、屋根１４の軒天井１５に交差（直交）している。
【００２２】
軒天井１５は、水平方向に延在している。図２に示されるように、軒天井１５の軒元側には、軒裏空間１６と屋外空間とを連通する軒天通気口１５ａが設けられている。なお、軒天通気口１５ａは、軒先側に設けられていてもよい。
【００２３】
建物１は２階建てであるため、正面側の外壁部１０は、１階外壁部１１と２階外壁部１２とを含む。１階外壁部１１と２階外壁部１２とは段差なく連続的に設けられている。
【００２４】
図２に示されるように、１階外壁部１１は、基礎上の土台（図示せず）と、２階の床８１を支持する階間梁２５ａとの間に形成され、２階外壁部１２は、この階間梁２５ａと、屋根１４を支持する屋根梁２５ｂとの間に形成される。土台、階間梁２５ａ、および屋根梁２５ｂは、互いに平行である。本実施の形態において、これらは梁部材と称される。屋根梁２５ｂは、２階の天井８２付近に配置されている。
【００２５】
１階外壁部１１には、窓がなく、玄関扉１３だけが設けられている。あるいは、玄関扉１３も１階外壁部１１に配置されていなくてもよい。１階外壁部１１の表面は、平面状（フラット）である。
【００２６】
２階外壁部１２は、下側壁体部２１と上側壁体部２２と水切部材２３とを含む。水切部材２３の位置を境界として、２階外壁部１２は、下側壁体部２１と上側壁体部２２とに分けられる。水切部材２３については後述する。
【００２７】
下側壁体部２１にも、窓がなく、下側壁体部２１の表面は平面状である。また、下側壁体部２１の表面は、１階外壁部１１の表面と面一である。１階外壁部１１および２階の下側壁体部２１の表面は、１階の玄関扉１３の部分を除き、外壁面である。外壁面は、後述する外装面部材３１の表面に相当する。
【００２８】
上側壁体部２２は、下側壁体部２１の上方に位置し、屋根１４の軒天井１５に交差している。上側壁体部２２の表面は、下側壁体部２１の表面（外壁面）よりも後退した位置に配置されている。
【００２９】
本実施の形態において、上側壁体部２２は、複数の窓部４１（たとえば３つの窓部４１ａ，４１ｂ，４１ｃ）が横幅方向に沿って（帯状に）連ねられた連窓４０により構成されている。つまり、外壁面よりもインセットされた連窓４０が、外壁部１０（２階外壁部１２）の全幅に亘って設けられている。各窓部４１は、正面側から見て矩形形状であり、たとえば横幅方向に長さを有している。
【００３０】
このように、正面側の外壁部１０における表面側には、大部分において外装面部材３１が配置され、その上端部分にのみ、インセットされた連窓４０が設けられている。また、連窓４０は、正面方向に突出する軒天井１５に交差している。そのため、建物１は、外観において、屋根１４が外壁から浮きあがったような印象（浮遊感）を与えることができるとともに、重厚感を生じさせることができる。
【００３１】
また、図２に示されるように、連窓４０の奥に位置する２階室内空間８０の天井８２の下面は、正面方向に突出する軒天井１５の下面と略面一である。具体的には、これらの面の高さに差が無いか、あったとしても１００ｍｍ以下であり、望ましくは５０ｍｍ以下である。また、天井８２の下面と軒天井１５の下面とは同じ色調であり、かつ、これらの面を構成する柄（たとえば木目）が同じ規則性を持って連続的に表れている。
【００３２】
したがって、正面側から建物１を見た場合に、軒天井１５が連窓４０を超えて屋内側まで延びているような、奥行き方向の拡がりを感じることができる。屋根梁２５ｂの中心位置からの屋根１４の外方への突出寸法は、４００ｍｍ以上であり、望ましくは９００ｍｍ以上である。
【００３３】
また、２階外壁部１２に隣接する室内空間８０においても、室内空間８０の天井８２が、連窓４０を超えて屋外側（正面側）にまで延びているような、開放的な雰囲気を味わうことができる。
【００３４】
屋根１４の浮遊感をより向上させるために、図３および図４に示されるように、側方外壁部９１，９２の正面側端部には、正面側の窓部４１ａ〜４１ｃと連続するように、側方窓部４１ｄ，４１ｅが設けられている。側方窓部４１ｄ，４１ｅの高さ寸法は、正面側の窓部４１ａ〜４１ｃと同じである。側方窓部４１ｄ，４１ｅもまた、他の外壁面よりも屋内方向に後退したインセット窓であることが望ましい。
【００３５】
これにより、正面側の連窓４０が外壁部１０のコーナー部を回り込んで略Ｕ字状に配置されているように見える。また、屋根１４は、両側方にも突出しており、側方窓部４１ｄ，４１ｅも、屋根１４の側方側の軒天部に交差している。その結果、真正面から見た場合だけでなく、斜めから見た場合においても、屋根１４が浮き上がっているような印象を強調することができる。
【００３６】
なお、図３に示すように、背面外壁部９３や、側方外壁部９１，９２には、横幅方向の一部分に通常の窓（たとえば腰高窓）などが設けられていてもよい。あるいは、１階外壁部１１にも、連窓以外の通常の窓が設けられていてもよい。
【００３７】
（２階外壁部の構造例について）
次に、図５および図６をさらに参照して、正面側の外壁部１０における２階外壁部１２の具体的な構造例について説明する。
【００３８】
２階外壁部１２は、階間梁（第２梁部材）２５ａと屋根梁（第１梁部材）２５ｂとの間において上下方向に延びる複数の柱２４を含む。本実施の形態では、図２に示されるように、各柱２４は、下側壁体部２１が固定される下側柱２４１と、上側壁体部２２が固定される上側柱２４２とに分割されており、これらの柱２４１，２４２間に中間梁（第３梁部材）２６が配置されている。柱２４１，２４２、および、梁２５ａ，２５ｂ，２６は、四角柱形状である。
【００３９】
下側壁体部２１は、柱２４（２４１）よりも屋外側に配置されている。下側壁体部２１は、柱２４の屋外面（屋外側の面）に沿って配置される断熱材３２と、屋外空間に面する外装面部材３１と、外装面部材３１および断熱材３２の間に設けられた通気層３３とを含む。
【００４０】
断熱材３２は比較的厚みが大きく、その厚み寸法Ｄ１は、たとえば９０ｍｍである。この場合、柱２４の屋外面２４ａから外装面部材３１の表面までの突出寸法、すなわち下側壁体部２１の厚み寸法Ｄ２は、たとえば１２０ｍｍ以上である。なお、下側壁体部２１の厚み寸法には、後述の下地合板３６の厚みが含まれなくてもよい。
【００４１】
外装面部材３１は、たとえばサイディング材である。外装面部材３１の表面は、たとえば、柄を排除し、漆喰調の素材で形成されている。また、外装面部材３１の表面の色は、白色系である。
【００４２】
柱２４（２４１）の屋内側には、２階の室内空間８０に面する内装面部材３５が配置されている。また、横幅方向において隣り合う柱２４間にも、断熱材３９が設けられていてもよい。
【００４３】
図２を参照して、窓部４１の高さ寸法（つまり、窓部４１の下端位置から天井８２までの高さ寸法）Ｌ１は、室内空間８０に面する内装面部材３５の高さ寸法（つまり、床８１から窓部４１の下端位置までの高さ寸法）Ｌ２の１／２以下である。外観上において、窓部４１の高さ寸法Ｌ１は、２階外壁部１２全体の高さ寸法（たとえば２６００ｍｍ程度）の１／３以下であることが望ましい。具体的には、窓部４１の高さ寸法Ｌ１は、５００ｍｍ以上８００ｍｍ以下である。
【００４４】
なお、１階外壁部１１の断面構造も、下側壁体部２１と同じである。また、図７に示すように、側方外壁部９２（９１）の断面構造も、窓部４１ｅ（４１ｄ）の部分を除いて、下側壁体部２１と同じである。図７には、通気層３３内に設けられた胴縁３４が示されている。
【００４５】
上側壁体部２２は、柱２４（２４２）間に固定された窓部４１と、窓部４１の側端部に隣接する柱被覆部４４とを含む。柱被覆部４４は、柱２４ごとに設けられる。上側壁体部２２は、上述の外装面部材３１、断熱材３２、および通気層３３を含まない。また、柱２４２の外側面のうち屋内側の面は、室内空間８０に露出していてもよい。
【００４６】
上側壁体部２２の各窓部４１（４１ａ〜４１ｃ）は、互いに隣り合う柱２４間に嵌め入れられたサッシ（窓枠）４２と、サッシ４２内に嵌め込まれた透光性を有する板状のガラス窓４３とで構成される。窓部４１のガラス窓４３の屋外面（表面）と柱被覆部４４の屋外面（表面）とが、上側壁体部２２の表面を構成する。
【００４７】
なお、窓部４１は、典型的には、ガラス窓４３を開閉できないフィックス窓タイプである。これにより、外観において、上側壁体部２２をスッキリと見せることができる。
【００４８】
窓部４１は、内外方向において、柱２４の屋外面２４ａの位置を跨ぐように配置されている。また、窓部４１の外方端は、下側壁体部２１における断熱材３２の厚み範囲内に位置している。つまり、窓部４１は、少なくとも、下側壁体部２１の通気層３３よりも屋内側に位置している。より具体的には、窓部４１の外方端は、断熱材３２の厚み方向中央位置よりも屋内側に位置していることが望ましい。窓部４１のうちガラス窓４３の表面は、柱２４の屋外面より僅かに屋外方向に位置しているのみである。ガラス窓４３の表面は、柱２４の屋外面よりも屋内側に位置していてもよい。
【００４９】
図５に示すように、各窓部４１には、サッシ４２の上端部から上方に突出する取付け片４２ｂと、サッシ４２の下端部から下方に突出する取付け片４２ｃとがさらに設けられている。取付け片４２ｂは、屋根梁２５ｂ下の窓まぐさ（窓用横材）２７に直接または間接的に固定される。取付け片４２ｃは、中間梁２６に直接または間接的に固定される。
【００５０】
サッシ４２は、屋外方向に突出する突出枠４２ａを有していてもよい。突出枠４２ａは、サッシ４２の外縁部分に設けられる。突出枠４２ａの外方端の位置も、断熱材３２の厚み範囲内に位置していることが望ましい。これにより、下側壁体部２１の厚みと、インセット窓とを強調することができる。
【００５１】
図１および図６に示されるように、柱被覆部４４は、柱２４の屋外面を覆うように配置されている。柱被覆部４４と柱２４との間には、下地合板４５および胴縁４６が介在している。下地合板４５は、柱２４の屋外面に面接触している。各窓部４１には、サッシ４２の両側部から側方に突出する取付け片４２ｄ，４２ｅが設けられており、取付け片４２ｄ，４２ｅが、この下地合板４５を介して柱２４に固定されている。柱被覆部４４と下地合板４５との間には、胴縁４６の厚み分だけ通気空間４７が形成されている。
【００５２】
柱被覆部４４は、たとえばモールなどの装飾材によって構成される。柱被覆部４４の屋外面（表面）の位置もまた、下側壁体部２１における断熱材３２の厚み範囲内に位置し、より具体的には、断熱材３２の厚み方向中央位置よりも屋内側に位置する。
【００５３】
窓部４１および柱被覆部４４の表面が、下側壁体部２１の表面よりも後退した位置に配置されることで、下側壁体部２１の壁厚を強調することができる。具体的には、外張りの断熱材３２の厚みが通常よりも大きく、建物１の断熱性能の良さを外観において示すことができる。
【００５４】
また、図６に示されるように、ガラス窓４３の表面は、柱被覆部４４の表面よりも屋内側に位置している。これにより、ガラス窓４３が、軸組としての柱２４間に嵌め込まれているように見えるため、屋根１４下のインセット窓を強調することができる。
【００５５】
また、柱被覆部４４および窓部４１のサッシ４２の色は、下側壁体部２１および１階外壁部１１の表面の色よりも濃い色（たとえば茶系、黒系、紺系）である。これにより、屋根１４の浮遊感がより一層高められる。また、柱被覆部４４および窓部４１のサッシ４２（突出枠４２ａを含む）の表面を、木質の材料で形成することで、建物１の木軸を表現することができる。
【００５６】
ここで、本実施の形態においては、上側壁体部２２の表面が下側壁体部２１の通気層３３よりも屋内側に配置されるため、下側壁体部２１の通気層３３は上側壁体部２２との境界部において途切れる。そのため、通気層３３内の空気を、屋根１４の軒裏空間１６に到達させることができない。
【００５７】
図１５には、公知の建物１００における外壁部１１０の構造とその通気経路とが模式的に示されている。外壁部１１０には窓が全くないか、外壁部１１０の横幅方向の一部分にしか窓がないものとする。外壁部１１０は、建物１の２階外壁部１２における下側壁体部２１と同様に、外装面部材１３１、断熱材１３２、および通気層１３３を含む。また、柱２４の屋内面には内装面部材１３５が配置され、横幅方向において隣り合う柱２４間に断熱材１３９が設けられている。
【００５８】
建物１００では、階間梁（図示せず）と屋根梁２５ｂとの間に、中間梁２６は存在しない。また、断熱材１３２の厚み寸法Ｄ３は、本実施の形態の断熱材３２の厚み寸法Ｄ１より小さく、たとえば３０ｍｍ（厚み寸法Ｄ１の１／３程度）である。
【００５９】
外装面部材１３１は、軒天井１５と交差している。建物１００においては、通気層１３３の上端部が軒裏空間１６に向けて開放されているため、通気層１３３内の空気は、軒天通気口１５ａから適切に排気される。
【００６０】
これに対し、本実施の形態では、上述のように、下側壁体部２１の通気層３３は、軒裏空間１６に連通されていない。その代わりに、下側壁体部２１と上側壁体部２２との間に設けられた水切部材２３によって、通気層３３内の空気が屋外空間に導かれる。
【００６１】
（水切部材の構成および配置例について）
図５および図６を参照して、水切部材２３の構成および配置例について説明する。
【００６２】
水切部材２３は、下側壁体部２１の上端部を覆うように、上側壁体部２２の下端縁に沿って配置されている。なお、本実施の形態では、連窓４０が平面視においてＵ字状に配置されているため、水切部材２３もまた、平面視においてＵ字状に配置されている。
【００６３】
水切部材２３の詳細な説明に先立ち、まず、水切部材２３の周辺の構造について説明する。下側壁体部２１の断熱材３２の上部には、下地桟木３７が設けられている。下地桟木３７の全体の厚みは、断熱材３２と略同じ厚みである。本実施の形態では、断熱材３２と下地桟木３７とで、通気層３３の屋内側に位置する内側面部材を構成する。
【００６４】
下地桟木３７と中間梁２６との間には、下地合板３６が設けられている。窓部４１の下方位置において、下地合板３６の上端高さは、中間梁２６の上端高さと略同じである。これに対し、柱被覆部４４の下方位置においては、下地合板３６は、図６に示した柱２４に当接する下地合板４５と一体的に設けられていてもよい。なお、柱２４や中間梁２６などの躯体部の屋外面に、下地合板３６，４５が存在しなくてもよい。
【００６５】
下地桟木３７の上端高さ、すなわち内側面部材の上端高さは、中間梁２６の上端高さより低い。外装面部材３１の上端高さも、中間梁２６の上端高さより低いが、下地桟木３７よりも若干高い。
【００６６】
水切部材２３は、下側壁体部２１の上方において屋外方向（正面側）に向かって斜め下方に延びる被覆部５１と、被覆部５１の屋内側端部から上方に立ち上がる立上り部５２と、被覆部５１の屋外側端部から下方に垂れ下がる垂下部５３とを含む。
【００６７】
水切部材２３の被覆部５１と外装面部材３１の上端面との間には、隙間５０が設けられている。この隙間５０によって、下側壁体部２１の通気層３３と屋外空間とが連通される。
【００６８】
立上り部５２は、中間梁２６に、下地合板３６を介してビス等により固定される。立上り部５２は、窓部４１の取付け片４２ｃ上に重ねられた状態で固定されている。
【００６９】
垂下部５３は、外装面部材３１の表面から少し離れた位置に配置される。図５および図８に示されるように、外装面部材３１と垂下部５３との間に、所定間隔（たとえば５００ｍｍピッチ）で、水抜き具５４が設けられている。水抜き具５４としては、窓サッシに取り付ける部品として流通している部材を流用可能である。水抜き具５４は、外装面部材３１の表面に当接するように配置されている。
【００７０】
水抜き具５４の周囲には、シーリング材５５が設けられている。具体的には、シーリング材５５は、湿式のシーリング材であり、水抜き具５４と垂下部５３との間、および、互いに隣り合う水抜き具５４間に設けられる。各水抜き具５４は、水抜き孔を有しており、この水抜き孔が、水切部材２３の通気口２３ａとして機能する。
【００７１】
水切部材２３の垂下部５３と外装面部材３１との間の隙間がこのように構成されることで、屋外空間から下側壁体部２１の上部への雨水の吹き込み防止と、下側壁体部２１の通気性確保との双方を実現することができる。
【００７２】
通気層３３よりも屋内側に配置された部材は防水性が求められるため、断熱材３２および下地桟木３７の屋外面に、防水シート３８ａが設けられている。また、下地桟木３７の上面と下地桟木３７の屋外面とに、Ｌ字状に折られた防水シート３８ｂが貼り付けられている。防水シート３８ｂは、防水シート３８ａに重ねられる。これにより、何らかの原因で水切部材２３の被覆部５１の下に水が浸入してきたとしても、下地桟木３７および断熱材３２を防水することができる。
【００７３】
上述のように、通気層３３は、隙間５０（および通気口２３ａ）を介して屋外空間と連通する。そのため、２階外壁部１２の上部に、その全幅に亘ってインセットされた連窓４０を設けた場合であっても、通気層３３内の空気の通気経路を確保することができる。したがって、下側壁体部２１の劣化を抑制することができる。このことについて、図９〜図１１を用いて具体的に説明する。
【００７４】
図９には、本実施の形態における２階外壁部１２の躯体部の構成（軸組構造）が模式的に示されている。図１０および図１１には、それぞれ、比較例における特定階の外壁部１１０の躯体部の構成が模式的に示されている。図１０および図１１の外壁部１１０の基本構造は、図１５に示した公知の建物１００の外壁部１１０と同じであると仮定する。図９には、通気層３３の空気の流れが、図１０および図１１には、通気層１３３の空気の流れが模式的に示されている。
【００７５】
図１０を参照して、窓部１４１が外壁部１１０の横幅方向における一部にのみ設けられている場合、通気層１３３内の空気は窓部１４１を避けるようにして上昇し、軒天通気口１５ａから排気される。
【００７６】
一方、図１１のように外壁部１１０の全幅に亘り連窓１４０が設けられている場合、通気層１３１内の空気は、隣り合う窓部１４１間（柱２４の部分）に形成された通気路からしか、排気できない。そのため、この場合、軒天通気口１５ａからの排気量は図１０の例に比べて少なくなる。
【００７７】
このように、一般的には、外壁部１１０の全幅に亘り連窓１４０を設けると、通気層１３３の十分な通気性を確保することができない。さらに、本実施の形態のように、断熱材３２の厚みを大きくして連窓１４０をインセットすると、通気層１３３は、連窓１４０の下端位置で完全に途切れる。したがって、この場合、通気層１３３内の空気の抜け道を確保することは困難である。
【００７８】
これに対し、本実施の形態の２階外壁部１２は、通気層３３を有する下側壁体部２１と連窓４０（上側壁体部２２）との間に、水切部材２３を備え、水切部材２３と外装面部材３１との間に、屋外空間と連通する隙間５０を設けている。そのため、図９に示されるように、通気層３３内の空気は、隙間５０を介して通気口（水切通気口）２３ａから適切に排気される。したがって、通気層３３の通気性を十分に確保することができる。その結果、下側壁体部２１の劣化を抑制することができる。
【００７９】
なお、本実施の形態においては、図６に示されるように、柱被覆部４４と柱２４との間に通気空間４７が設けられている。通気空間４７には、柱被覆部４４の下端部と水切部材２３の被覆部５１の上面との間の隙間から、屋外の空気が取入れられる。柱被覆部４４の下端部の隙間から通気空間４７に取入れられた空気は、通気空間４７内を上昇し、軒天通気口１５ａから排気されるように構成されている。
【００８０】
これにより、本実施の形態によれば、上側壁体部２２の躯体部（上側柱２４２）の劣化を抑制することもできる。通気空間４７に面する下地合板４５および取付け片４２ｄ，４２ｅには、防水シート４８が貼り付けられることが望ましい。
【００８１】
以上説明したように、本実施の形態の建物１によれば、軸組構造を複雑にすることなく、意匠性の向上と外壁部１０の通気性の確保とを両立させることができる。
【００８２】
さらに、本実施の形態では、２階外壁部１２に中間梁２６が設けられるため、下側壁体部２１およびその支持体（躯体部）を、耐力壁として構成することができる。このことについて、上述の図９〜図１１を用いて説明する。
【００８３】
一般的には、図１０に示されるように、窓部１４１は非耐力壁９５に設けられる。そのため、外壁部１１０の少なくとも一部を耐力壁９４としたい場合、窓部１４１は外壁部１１０の横幅方向における一部分にしか設けることができない。すなわち、図１１に示されるように、外壁部１１０の全幅に亘り連窓４０を設ける場合、通常は、外壁部１１０の全てが非耐力壁９５として構成される。耐力壁９４は、一対の梁２５ａ，２５ｂと一対の柱２４とで構成される枠体に、筋交などの耐力要素９４０を有している。
【００８４】
これに対し、本実施の形態では、連窓４０は、中間梁２６と屋根梁２５ｂとの間に配置されるため、下側壁体部２１およびその支持体の全体または一部を、自由に、耐力壁９４とすることができる。その結果、建物１によれば、外壁部１０の躯体部の強度を向上させることも可能となる。なお、図９に示す耐力壁９４は、図１０に示すような通常の耐力壁９４よりも高さが低いため、「腰壁耐力壁」と称してもよい。
【００８５】
（連窓の他の配置例について）
連窓４０の他の配置例を、図１２および図１３に示す。
【００８６】
図１２に示されるように、連窓４０は、正面側の外壁部１０（上側壁体部２２）にのみ配置されていてもよい。つまり、図３に示したように、側方外壁部９１，９２に、正面側のコーナーの窓部４１に隣接する側方窓部４１ｄ，４１ｅが設けられていなくてもよい。あるいは、連窓４０が平面視においてＬ字状となるように、側方外壁部９１，９２のうちの一方にのみ、側方窓部が設けられていてもよい。
【００８７】
また、図１３に示されるように、正面側の外壁部１０に位置する連窓４０は、外壁部１０の全幅に亘り設けられていなくてもよい。つまり、外壁部１０において、連窓４０の側方位置には、下側壁体部２１と同じ構造の壁体部２２Ａが、下側壁体部２１と連続的に配置されていてもよい。なお、この場合、壁体部２２Ａ内の通気層３３は、軒裏空間１６に連通する。
【００８８】
（変形例）
本実施の形態では、建物１の屋根１４が、最上階の上に位置する勾配屋根であることとしたが、下屋を有する建物においても、上述の２階外壁部１２の構造を適用可能である。
【００８９】
図１４には、本実施の形態の変形例に係る建物１Ａの構成例が模式的に示されている。図１４を参照して、建物１Ａは、最上階（２階）の屋根１４ａと、１階の室内空間の上方に位置する下屋１４ｂとを備えている。下屋１４ｂは、２階外壁部１２Ａの下端部から正面方向に突出する片流れ屋根（勾配屋根）であり、その軒天井１５が、１階外壁部１１Ａの上端に交差している。
【００９０】
この場合、下屋１４ｂ下の１階外壁部１１Ａが、上述の下側壁体部２１と上側壁体部２２とで構成されていてもよい。
【００９１】
なお、本実施の形態では、建物１（１Ａ）が２階建てであることとしたが、１階建であってもよいし、３階以上の建物であってもよい。いずれにしても、軒先に軒天井１５を有する屋根の直下に位置する特定階の外壁部が、上述の下側壁体部２１および上側壁体部２２を含んでいればよい。
【００９２】
また、上側壁体部２２が、連窓４０により構成されることとしたが、限定的ではない。上側壁体部２２の表面が、下側壁体部２１の表面（外装面部材３１の表面）より後退した位置に配置され、かつ、下側壁体部２１の表面とは素材および色調の少なくとも一方が異なっていればよい。具体的には、上側壁体部２２の表面の色調は、下側壁体部２１の表面よりも暗いことが望ましい。
【００９３】
また、下側壁体部２１の内側面部材が、主に断熱材３２により構成されることとしたが、限定的ではない。
【００９４】
また、外壁部１０が建物１（１Ａ）の正面側に配置されることとして説明したが、限定的ではない。また、建物１は、木造でなくてもよい。建物１は、住宅以外の建物に適用してもよい。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１，１Ａ，１００  建物、２  第１の箱体、３  第２の箱体、４  外構部、１０，１１０  （正面側の）外壁部、１１，１１Ａ  １階外壁部、１２，１２Ａ  ２階外壁部、１３  玄関扉、１４，１４ａ，１４ｂ  勾配屋根、１５  軒天井、１５ａ  軒天通気口、１６  軒裏空間、２１  下側壁体部、２２  上側壁体部、２３  水切部材、２４，２４１，２４２  柱、２５ａ，２５ｂ，２６  梁（梁部材）、３１，１３１  外装面部材、３２，３９，１３２，１３９  断熱材、３３，１３３  通気層、３４，４６  胴縁、３５，１３５  内装面部材、３６，４５  下地合板、３７  下地桟木、３８ａ，３８ｂ，４８  防水シート、４０，１４０  連窓、４１，４１ａ〜４１ｅ，１４１  窓部、４２  サッシ、４２ａ  突出枠、４２ｂ，４２ｃ，４２ｄ，４２ｅ  取付け片、４３  ガラス窓、４４  柱被覆部、４７  通気空間、５０  隙間、５１  被覆部、５２  立上り部、５３  垂下部、５４  水抜き具、５５  シーリング材、８０  室内空間、８１  床、８２  天井、９１，９２  側方外壁部、９３  背面外壁部、９４  耐力壁、９５  非耐力壁、９４０  耐力要素。
【図１】
0006549998.tif 000002
【図２】
0006549998.tif 000003
【図３】
0006549998.tif 000004
【図４】
0006549998.tif 000005
【図５】
0006549998.tif 000006
【図６】
0006549998.tif 000007
【図７】
0006549998.tif 000008
【図８】
0006549998.tif 000009
【図９】
0006549998.tif 000010
【図１０】
0006549998.tif 000011
【図１１】
0006549998.tif 000012
【図１２】
0006549998.tif 000013
【図１３】
0006549998.tif 000014
【図１４】
0006549998.tif 000015
【図１５】
0006549998.tif 000016